(57)【要約】【課題】サイト間又は基地局間キャリアアグリゲーションにおいてアップリンク個別リソースを迅速に割り当てることである。【解決手段】本発明の１つの態様は、無線リソースを用いてユーザ装置と通信する送受信部と、前記無線リソースを管理するリソース管理部とを有する基地局であって、前記リソース管理部は、基地局間キャリアアグリゲーションにおける非アンカー基地局によって当該基地局のために確保された無線リソースを示すプーリング情報を格納するプーリング情報格納部を有し、前記リソース管理部は、前記プーリング情報に示される無線リソースを前記ユーザ装置に自律的に割り当てる基地局に関する。【選択図】図６
2014158239.tif 000002
【特許請求の範囲】
【請求項１】
無線リソースを用いてユーザ装置と通信する送受信部と、
前記無線リソースを管理するリソース管理部と、
を有する基地局であって、
前記リソース管理部は、基地局間キャリアアグリゲーションにおける非アンカー基地局によって当該基地局のために確保された無線リソースを示すプーリング情報を格納するプーリング情報格納部を有し、
前記リソース管理部は、前記プーリング情報に示される無線リソースを前記ユーザ装置に自律的に割り当てる基地局。
【請求項２】
前記送受信部が、前記ユーザ装置からアップリンク個別リソースの割当要求を受信すると、前記リソース管理部は、前記要求されたアップリンク個別リソースが当該基地局と前記非アンカー基地局との何れのセルに属するか判定し、判定結果に応じて、前記プーリング情報に示される無線リソース又は当該基地局の無線リソースを前記要求されたアップリンク個別リソースとして前記ユーザ装置に割り当てる、請求項１記載の基地局。
【請求項３】
前記リソース管理部は、前記ユーザ装置に対して前記非アンカー基地局を最初に設定する際、又は前記設定後に解放されたアップリンク個別リソースを再割当てする際、前記プーリング情報に示される無線リソースを前記ユーザ装置に自律的に割り当てる、請求項２記載の基地局。
【請求項４】
前記リソース管理部は、前記確保された無線リソースのうち未割当ての無線リソースが所定の閾値以下になると、前記無線リソースを追加的に確保するための追加割当確保要求を前記非アンカー基地局に送信する、請求項１乃至３何れか一項記載の基地局。
【請求項５】
ユーザ装置と通信する基地局における方法であって、
前記ユーザ装置からアップリンク個別リソースの割当要求を受信するステップと、
前記要求されたアップリンク個別リソースが当該基地局と基地局間キャリアアグリゲーションにおける非アンカー基地局との何れのセルに属するか判定するステップと、
判定結果に応じて、当該基地局のために確保された無線リソースを示すプーリング情報に示される無線リソース又は当該基地局の無線リソースを前記要求されたアップリンク個別リソースとして前記ユーザ装置に自律的に割り当てるステップと、
を有する方法。
【請求項６】
無線リソースを用いてユーザ装置と通信する送受信部と、
前記無線リソースを管理するリソース管理部と、
を有する基地局であって、
前記リソース管理部は、基地局間キャリアアグリゲーションにおけるアンカー基地局のために前記無線リソースの一部を確保し、前記確保した無線リソースを示すプーリング情報を前記アンカー基地局に送信する基地局。
【請求項７】
前記プーリング情報は、前記確保した無線リソースを周波数位置及び／又は時間位置により特定する、請求項６記載の基地局。
【請求項８】
前記アンカー基地局から前記無線リソースを追加的に確保するための追加確保要求を受信すると、前記リソース管理部は、前記無線リソースの利用状況に基づき前記無線リソースを追加的に確保可能であるか判定し、判定結果に応じて前記無線リソースを追加的に確保する、請求項６又は７記載の基地局。
【請求項９】
前記リソース管理部は、前記アンカー基地局のために確保した前記無線リソースの一部を定期的又は所定の時間に更新し、前記更新後のプーリング情報を前記アンカー基地局に送信する、請求項６又は７記載の基地局。
【発明の詳細な説明】
【技術分野】
【０００１】
本発明は、無線通信技術に関し、より詳細には、キャリアアグリゲーションを利用した無線通信に関する。
【背景技術】
【０００２】
現在、３ＧＰＰ（３ｒｄ  Ｇｅｎｅｒａｔｉｏｎ  Ｐａｒｔｎｅｒｓｈｉｐ  Ｐｒｏｊｅｃｔ）は、ＬＴＥ（Ｌｏｎｇ  Ｔｅｒｍ  Ｅｖｏｌｕｔｉｏｎ）の次世代の通信規格として、ＬＴＥ−Ａｄｖａｎｃｅｄの標準化を進めている。ＬＴＥ−Ａｄｖａｎｃｅｄシステムでは、ＬＴＥシステムとのバックワードコンパチビリティを確保しつつ、ＬＴＥシステムを上回るスループットを実現するため、キャリアアグリゲーション（Ｃａｒｒｉｅｒ  Ａｇｇｒｅｇａｔｉｏｎ：ＣＡ）技術が導入される。キャリアアグリゲーション技術では、ＬＴＥシステムによりサポートされている２０ＭＨｚの最大帯域幅を有するＬＴＥキャリア（コンポーネントキャリアとも呼ばれる）が基本コンポーネントとして利用され、これら複数のコンポーネントキャリアを同時に用いることによって、より広帯域な通信を実現することが図られている。
【０００３】
ＬＴＥ−Ａｄｖａｎｃｅｄでは、従来の基地局により提供されるマクロセルと、より小さな地理的範囲をカバーするスモールセルとを混在して使用するスモールセルエンハンスメント（Ｓｍａｌｌ  Ｃｅｌｌ  Ｅｎｈａｎｃｅｍｅｎｔ）が提案されている。典型的には、スモールセルは、ホットスポットなどのトラフィックが集中するエリアやマクロセルがカバーするのが困難な屋内エリアなどに配置され、当該エリアにおける通信を向上させるのに利用される。
【０００４】
このようなスモールセルエンハンスメントを利用したネットワークアーキテクチャにおいて、ユーザ装置（Ｕｓｅｒ  Ｅｑｕｉｐｍｅｎｔ：ＵＥ）が、マクロセルを提供するマクロ基地局（ｍａｃｒｏ−ｅＮＢ）とスモールセルを提供するスモール基地局（ｓｍａｌｌ−ｅＮＢ）とを同時に用いて通信するサイト間キャリアアグリゲーション（Ｉｎｔｅｒ−ｓｉｔｅ  ＣＡ）又は基地局間キャリアアグリゲーション（Ｉｎｔｅｒ−ｅＮＢ  ＣＡ）の利用が検討されている。典型的なサイト間又は基地局間キャリアアグリゲーションでは、マクロ基地局がアンカー基地局として機能し、ユーザ装置とのサイト間又は基地局間キャリアアグリゲーションを実現するため、非アンカー基地局として機能するスモール基地局を管理する。
【０００５】
図１は、スモールセルエンハンスメントにおけるサイト間キャリアアグリゲーションの概略図である。図１に示されるように、スモールセルエンハンスメントにおけるサイト間又は基地局間キャリアアグリゲーションでは、例えば、信頼性が必要とされる制御信号又はＣ−ｐｌａｎｅデータ（Ｓｉｇｎａｌｉｎｇ  Ｒａｄｉｏ  Ｂｅａｒｅｒ：ＳＲＢ）は、アンカー基地局として機能するマクロ基地局によってマクロセルを介しユーザ装置に通信され、広帯域通信が必要とされるデータ信号又はＵ−ｐｌａｎｅデータ（Ｄａｔａ  Ｒａｄｉｏ  Ｂｅａｒｅｒ：ＤＲＢ）は、非アンカー基地局として機能するスモール基地局によってスモールセルを介しユーザ装置に通信される。
【０００６】
一方、ＬＴＥシステム及びＬＴＥ−Ａｄｖａｎｃｅｄシステムでは、基地局がユーザ装置に対してアップリンク個別リソースを割当て、割り当てたアップリンク個別リソースを用いてユーザ装置からリクエスト情報やフィードバック情報などの各種情報を取得することが規定されている。アップリンク個別リソースの具体例として、例えば、スケジューリングリクエスト（Ｓｃｈｅｄｕｌｉｎｇ  Ｒｅｑｕｅｓｔ）、ＰＵＣＣＨ−ＣＱＩ（Ｐｈｙｓｉｃａｌ  Ｕｐｌｉｎｋ  Ｃｏｎｔｒｏｌ  Ｃｈａｎｎｅｌ−Ｃｈａｎｎｅｌ  Ｑｕａｌｉｔｙ  Ｉｎｄｉｃａｔｏｒ）及びＳＲＳ（Ｓｏｕｎｄｉｎｇ  Ｒｅｆｅｒｅｎｃｅ  Ｓｉｇｎａｌ）があげられる。
【０００７】
スケジューリングリクエストは、ユーザ装置内に送信すべきアップリンクデータが発生した際に、データ送信を許可するためのアップリンクグラント（ＵＬ  ｇｒａｎｔ）を基地局に対して要求するためのリソースである。ＰＵＣＣＨ−ＣＱＩは、ダウンリンクの通信品質情報を基地局にフィードバックするためのリソースである。ＳＲＳは、アップリンクの通信品質情報を基地局に測定させるためのリソースである。
【０００８】
アップリンク個別リソースは、ＲＲＣ（Ｒａｄｉｏ  Ｒｅｓｏｕｒｃｅ  Ｃｏｎｔｒｏｌ）レイヤの信号によってユーザ装置に割り当てられる。割り当てられたアップリンク個別リソースは、所定の解放契機が発生すると、ユーザ装置によって自律的に解放されることが規定されている。アップリンク個別リソースの解放契機として、例えば、ＲＲＣレイヤの信号による解放指示、ＴＡ（Ｔｉｍｅ  Ａｌｉｇｎｍｅｎｔ）タイマの満了、スケジューリングリクエストの再送超過、及び再接続手順の実行があげられる。
【０００９】
サイト間又は基地局間キャリアアグリゲーションが設定される場合、ＲＲＣシグナリングを送受信する基地局は、基本的には１つの基地局（アンカー基地局）であることが想定される。これは、複数の基地局でＲＲＣシグナリングを送受信する場合、ユーザ装置と各基地局との間でＣ−ｐｌａｎｅデータ又はＳＲＢのためのベアラを設定する必要があり、ネットワークコンプレクシティの観点から望ましくないためである。
【００１０】
一方、各基地局により提供されるセルのリソースは、基本的には、当該基地局が管理することが想定される。これは、接続する全てのスモール基地局のリソースをマクロ基地局又はアンカー基地局が管理することは現実的でないためである。
【００１１】
従って、スモール基地局により提供されるセルのアップリンク個別リソースをユーザ装置に再割当てする際には（アップリンクデータ再開時など）、ユーザ装置、マクロ基地局及びスモール基地局との間で以下のようなアップリンク個別リソースの再割当手順が実行されることになる。
【００１２】
すなわち、以前に設定又は割り当てられていたスモールセルのアップリンク個別リソースが解放された後、何れかの理由によりユーザ装置に対してスモールセルのアップリンク個別リソースの再割当が必要になるとする。図２に示されるように、ステップＳ１において、当該スモールセルを提供するスモール基地局を管理するマクロ基地局は、ユーザ装置に対してアップリンク個別リソースを割り当てるためのリソース割当て要求を当該スモール基地局に送信する。
【００１３】
リソース割当て要求を受信すると、ステップＳ２において、スモール基地局は、ユーザ装置に対してアップリンク個別リソースを割当て、割り当てたアップリンク個別リソースを示すリソース割当て応答をマクロ基地局に送信する。
【００１４】
リソース割当て応答を受信すると、ステップＳ３において、マクロ基地局は、ＲＲＣ  Ｃｏｎｎｅｃｔｉｏｎ  Ｒｅｃｏｎｆｉｇｕｒａｔｉｏｎをユーザ装置に送信する。
【００１５】
ＲＲＣ  Ｃｏｎｎｅｃｔｉｏｎ  Ｒｅｃｏｎｆｉｇｕｒａｔｉｏｎを受信すると、ステップＳ４において、ユーザ装置は、通知されたスモール基地局のアップリンク個別リソースに基づきＲＲＣコネクションの再構成処理を実行し、当該処理の完了後にＲＲＣ  Ｃｏｎｎｅｃｔｉｏｎ  Ｒｅｃｏｎｆｉｇｕｒａｔｉｏｎ  Ｃｏｍｐｌｅｔｅをマクロ基地局に送信する。
【００１６】
ＲＲＣ  Ｃｏｎｎｅｃｔｉｏｎ  Ｒｅｃｏｎｆｉｇｕｒａｔｉｏｎ  Ｃｏｍｐｌｅｔｅを受信すると、ステップＳ５において、マクロ基地局は、割当て完了通知をスモール基地局に送信する。その後、ユーザ装置とスモール基地局との間で無線通信が確立され、ユーザ装置は、割り当てられたアップリンク個別リソースを利用することが可能になる。
【先行技術文献】
【非特許文献】
【００１７】
【非特許文献１】３ＧＰＰ  ＴＳ  ３６．３２１  Ｖ１１．１．０（２０１２−１２）
【発明の概要】
【発明が解決しようとする課題】
【００１８】
このように割り当てられたアップリンク個別リソースが、上述した解放契機などによって解放されると、ユーザ装置に対して当該スモールセルのアップリンク個別リソースを再び割り当てる必要が生じた場合、上述したランダムアクセス手順を再実行する必要があり、スモール基地局とユーザ装置との間のユーザデータ又はＵ−ｐｌａｎｅの送受信遅延を生じさせることになる。
【００１９】
具体的には、スケジューリングリクエストが未割当ての場合、ユーザ装置は、スモール基地局にアップリンクグラントを要求する際、常に上述したランダムアクセス手順を実行する必要があり、アップリンクデータ送信の遅延が発生することになる。また、Ｐｅｒｉｏｄｉｃ  ＣＱＩが未割当ての場合、スモール基地局は、スモールセルのダウンリンクの通信品質を把握できないため、最適なリンクアダプテーションを実行することができなくなる。この場合、スモールセルは、何れか適当なＭＣＳ（Ｍｏｄｕｌａｔｉｏｎ  ａｎｄ  Ｃｏｄｉｎｇ  Ｓｃｈｅｍｅ）を選択するか、あるいは、最も安全と推測されるＭＣＳを選択することになる。さらに、Ｐｅｒｉｏｄｉｃ  ＳＲＳが未割当ての場合、スモール基地局は、スモールセルのアップリンクの通信品質を把握できないため、最適なリンクアダプテーションを実行することができなくなる。
【００２０】
上記問題点に鑑み、本発明の１つの課題は、サイト間又は基地局間キャリアアグリゲーションにおいてアップリンク個別リソースを迅速に割り当てるための技術を提供することである。
【課題を解決するための手段】
【００２１】
上記問題点に鑑み、本発明の１つの態様は、無線リソースを用いてユーザ装置と通信する送受信部と、前記無線リソースを管理するリソース管理部とを有する基地局であって、前記リソース管理部は、基地局間キャリアアグリゲーションにおける非アンカー基地局によって当該基地局のために確保された無線リソースを示すプーリング情報を格納するプーリング情報格納部を有し、前記リソース管理部は、前記プーリング情報に示される無線リソースを前記ユーザ装置に自律的に割り当てる基地局に関する。
【００２２】
本発明の他の態様は、無線リソースを用いてユーザ装置と通信する送受信部と、前記無線リソースを管理するリソース管理部とを有する基地局であって、前記リソース管理部は、基地局間キャリアアグリゲーションにおけるアンカー基地局のために前記無線リソースの一部を確保し、前記確保した無線リソースを示すプーリング情報を前記アンカー基地局に送信する基地局に関する。
【発明の効果】
【００２３】
本発明によると、サイト間又は基地局間キャリアアグリゲーションにおいてアップリンク個別リソースを迅速に割り当てることが可能になる。
【図面の簡単な説明】
【００２４】
【図１】図１は、スモールセルエンハンスメントにおけるサイト間キャリアアグリゲーションの概略図である。
【図２】図２は、アップリンク個別リソースの再設定処理を示すシーケンス図である。
【図３】図３は、本発明の一実施例によるアップリンク個別リソースの設定処理を示すシーケンス図である。
【図４】図４は、本発明の一実施例による無線通信システムの概略図である。
【図５】図５は、本発明の一実施例によるスモール基地局の構成を示すブロック図である。
【図６】図６は、本発明の一実施例によるマクロ基地局の構成を示すブロック図である。
【図７】図７は、本発明の一実施例によるマクロ基地局におけるアップリンク個別リソース管理処理を示すフロー図である。
【発明を実施するための形態】
【００２５】
以下、図面に基づいて本発明の実施の形態を説明する。
【００２６】
後述する本発明の実施例を概略すると、サイト間又は基地局間キャリアアグリゲーション（以降、基地局間キャリアアグリゲーションと呼ぶ）におけるアンカー基地局は、非アンカー基地局においてアンカー基地局のために確保された無線リソースを示すプーリング情報を予め受信及び格納する。ユーザ装置に当該非アンカー基地局のスモールセルのアップリンク個別リソースの割当てが必要になると、アンカー基地局は、格納するプーリング情報を参照して、プーリング情報に示されるアンカー基地局のために確保されているスモールセルの無線リソースを自律的に、すなわち、非アンカー基地局との間でアップリンク個別リソースの割当処理を実行することなく割り当てる。ここで、アンカー基地局はＲＲＣを管理している基地局でもよいし、ＣＮ（Ｃｏｒｅ  Ｎｅｔｗｏｒｋ）とのインターフェースが確立されている基地局でもよいし、ＣＡにおけるプライマリセル（Ｐｒｉｍａｒｙ  Ｃｅｌｌ：ＰＣｅｌｌ）を管理する基地局でもよい。
【００２７】
すなわち、図３に示されるように、ステップＳ１１において、スモール基地局は、マクロ基地局に対してスモールセルの無線リソースの一部を予め確保し、確保した無線リソースを示すプーリング情報をマクロ基地局に送信する。その後、スモールセルのアップリンク個別リソースが解放されている状態で基地局間キャリアアグリゲーションを開始する（即ち、移動局−スモール基地局間の通信を再開する）際、マクロ基地局は、スモール基地局とのリソース割り当て手順を実行することなく、格納しているプーリング情報に示されるアップリンク個別リソースをユーザ装置に割り当てる。具体的には、ステップＳ１２において、マクロ基地局は、割り当てたアップリンク個別リソースを示すＲＲＣ  Ｃｏｎｎｅｃｔｉｏｎ  Ｒｅｃｏｎｆｉｇｕｒａｔｉｏｎをユーザ装置に送信する。ＲＲＣ  Ｃｏｎｎｅｃｔｉｏｎ  Ｒｅｃｏｎｆｉｇｕｒａｔｉｏｎを受信すると、ステップＳ１３において、ユーザ装置は、通知されたスモール基地局のアップリンク個別リソースに基づきＲＲＣコネクションの再構成処理を実行し、当該処理の完了後にＲＲＣ  Ｃｏｎｎｅｃｔｉｏｎ  Ｒｅｃｏｎｆｉｇｕｒａｔｉｏｎ  Ｃｏｍｐｌｅｔｅをマクロ基地局に送信する。ＲＲＣ  Ｃｏｎｎｅｃｔｉｏｎ  Ｒｅｃｏｎｆｉｇｕｒａｔｉｏｎ  Ｃｏｍｐｌｅｔｅを受信すると、ステップＳ１４において、マクロ基地局は、割当て完了通知をスモール基地局に送信する。その後、ユーザ装置とスモール基地局との間で無線通信が確立され、ユーザ装置は、割り当てられたアップリンク個別リソースを利用することが可能になる。これにより、マクロ基地局とスモール基地局との間で図２に示されるような割当処理が不要になり、ユーザ装置は、マクロ基地局から通知されたアップリンク個別リソースを用いて、スモール基地局と迅速に通信することが可能になる。
【００２８】
まず、図４を参照して、本発明の一実施例による無線通信システムを説明する。図４は、本発明の一実施例による無線通信システムの概略図である。
【００２９】
図４に示されるように、無線通信システム１０は、例えば、ＬＴＥ−Ａｄｖａｎｃｅｄシステムなど、基地局間キャリアアグリゲーションを利用した無線通信をサポートする無線通信システムである。無線通信システム１０は、ユーザ装置１００、マクロ基地局２００及びスモール基地局３００を有する。
【００３０】
ユーザ装置１００は、例えば、携帯電話、スマートフォン、タブレット、モバイルルータなどの無線通信機能を備えた何れかの情報処理装置である。また、ユーザ装置１００は、マクロ基地局２００により提供されるマクロセルと、スモール基地局３００により提供されるスモールセルとを同時に利用して通信する基地局間キャリアアグリゲーションをサポートしている。
【００３１】
マクロ基地局２００は、ユーザ装置１００と無線接続することによって、通信接続された上位局やサーバ（図示せず）から受信したダウンリンク（ＤＬ）データをユーザ装置１００に送信すると共に、ユーザ装置１００から受信したアップリンク（ＵＬ）データを上位局（図示せず）に送信する。また、マクロ基地局２００は、基地局間キャリアアグリゲーションにおけるアンカー基地局として機能し、配下のスモール基地局により提供されるスモールセルをユーザ装置に対して設定する。基地局間キャリアアグリゲーションが適用される場合、例えば、マクロ基地局２００は、ユーザ装置１００との無線接続の信頼性を担保するため、主として制御信号又はＣ−ｐｌａｎｅデータをユーザ装置１００とやりとりする。
【００３２】
スモール基地局３００は、マクロ基地局２００に管理される非アンカー基地局として機能し、ユーザ装置１００に無線リソースを割り当てることを要求するリソース割当て要求をマクロ基地局２００から受信することに応答して、ユーザ装置１００にスモールセルの無線リソースを設定する。ユーザ装置１００は、設定された無線リソースを用いてスモール基地局３００と通信する。基地局間キャリアアグリゲーションが適用される場合、例えば、スモール基地局３００は、ユーザ装置１００への高スループットな通信を担保するため、主としてデータ信号又はＵ−ｐｌａｎｅデータをユーザ装置１００とやりとりする。
【００３３】
次に、図５を参照して、本発明の一実施例によるスモール基地局の構成を説明する。スモール基地局３００は、アンカー基地局として機能するマクロ基地局２００の配下の基地局間キャリアアグリゲーションにおける非アンカー基地局として機能する。図５は、本発明の一実施例によるスモール基地局の構成を示すブロック図である。
【００３４】
図５に示されるように、スモール基地局３００は、送受信部３１０及びリソース管理部３２０を有する。
【００３５】
送受信部３１０は、無線リソースを用いてユーザ装置１００と通信する。ユーザ装置１００に基地局間キャリアアグリゲーションが適用されると、送受信部３１０は、ユーザ装置１００に割り当てられた無線リソースを用いて、ユーザ装置１００と各種信号及びチャネルをやりとりする。
【００３６】
リソース管理部３２０は、ユーザ装置１００との通信に用いられる無線リソースを管理する。リソース管理部３２０は、マクロ基地局２００に無線リソースの一部を予め確保し、確保した無線リソースを示すプーリング情報をマクロ基地局２００に送信する。ユーザ装置１００に対して当該スモールセルの無線リソースの割当てが必要になると、マクロ基地局２００は、プーリング情報に示される無線リソースからユーザ装置１００に割り当てる無線リソースを抽出し、スモール基地局３００との間で割当処理を実行することなく、抽出した無線リソースをユーザ装置１００に自律的に割り当てる。
【００３７】
ここで、マクロ基地局２００のために確保された無線リソースは、周波数位置及び／又は時間位置により特定されてもよい。例えば、プーリング情報は、「ＰＵＣＣＨリソースの帯域端から２リソースブロック（ＲＢ）の割当てをマクロ基地局２００に委ねる」、「サブフレーム番号＃０の無線リソースの割当てをマクロ基地局２００に委ねる」又はその両方などにより示してもよい。
【００３８】
なお、マクロ基地局２００に対して確保した無線リソース以外のスモールセルの残りの無線リソースについて、リソース管理部３２０は、当該残りの無線リソースをスモール基地局３００に新規に接続してくる他のユーザ装置、すなわち、当該スモールセルをプライマリセル又はアンカーセルとして接続してくる他のユーザ装置に割り当ててもよい。
【００３９】
また、マクロ基地局２００が確保された無線リソースをユーザ装置１００や他のユーザ装置に割り当てた結果として、マクロ基地局２００において利用可能な無線リソースが不足した場合、マクロ基地局２００は、当該マクロ基地局２００のために無線リソースを追加的に確保するようスモール基地局３００に要求してもよい。このような追加確保要求を受信すると、リソース管理部３２０は、スモールセルにおける無線リソースの利用状況を確認し、当該利用状況に基づき無線リソースを追加的に確保可能であるか判定してもよい。
【００４０】
例えば、マクロ基地局２００のために確保した無線リソース以外の残りの無線リソースのうち未割当ての無線リソースの比率が所定の閾値以上である場合、リソース管理部３２０は、無線リソースを追加的に確保可能であると判定し、当該未割当ての無線リソースの一部又は全てをマクロ基地局２００のために確保してもよい。他方、マクロ基地局２００のために確保した無線リソース以外の残りの無線リソースのうち未割当ての無線リソースの比率が所定の閾値未満である場合、リソース管理部３２０は、無線リソースを追加的に確保することができないと判定し、無線リソースの追加確保ができないことをマクロ基地局２００に通知してもよい。
【００４１】
また、リソース管理部３２０は、マクロ基地局２００のために確保した無線リソースを定期的に又は所定の時間に更新し、更新後のプーリング情報をマクロ基地局２００に送信してもよい。例えば、当該更新は、確保した無線リソースの前回の更新からの利用状況及び／又は残りの無線リソースの前回の更新からの利用状況に基づき行われてもよい。確保した無線リソースがマクロ基地局２００においてあまり利用されていなかった場合（例えば、当該期間における確保した無線リソースのリソース量における最大リソース利用量の比率を示す最大利用率が、所定の閾値パーセント以下である場合など）、リソース管理部３２０は、マクロ基地局２００のために確保する無線リソースを減らしてもよい。他方、確保した無線リソースがマクロ基地局２００において十分利用されていた場合（例えば、最大利用率が所定の閾値パーセント以上である場合、マクロ基地局２００から追加確保要求を受信した場合など）、リソース管理部３２０は、マクロ基地局２００のために確保する無線リソースを増やしてもよい。これにより、確保された無線リソースの利用状況に応じたプーリング情報の動的設定が可能になる。
【００４２】
あるいは、残りの無線リソースがスモール基地局３００においてあまり利用されていなかった場合（例えば、当該期間における残りの無線リソースのリソース量における最大リソース利用量の比率を示す最大利用率が、所定の閾値パーセント以下である場合など）、リソース管理部３２０は、マクロ基地局２００のために確保する無線リソースを増やしてもよい。他方、残りの無線リソースがスモール基地局３００において十分利用されていた場合（例えば、最大利用率が所定の閾値パーセント以上である場合など）、リソース管理部３２０は、マクロ基地局２００のために確保する無線リソースを減らしてもよい。これにより、残りの無線リソースの利用状況に応じたプーリング情報の動的設定が可能になる。
【００４３】
次に、図６を参照して、本発明の一実施例によるマクロ基地局の構成を説明する。マクロ基地局２００は、基地局間キャリアアグリゲーションにおけるアンカー基地局として機能し、配下のスモール基地局３００を管理する。図６は、本発明の一実施例によるマクロ基地局の構成を示すブロック図である。
【００４４】
図６に示されるように、マクロ基地局２００は、送受信部２１０及びリソース管理部２２０を有し、リソース管理部２２０はプーリング情報格納部２２１を有する。
【００４５】
送受信部２１０は、無線リソースを用いてユーザ装置と通信する。送受信部２１０は、各種チャネル及び信号をユーザ装置１００と通信する。
【００４６】
リソース管理部２２０は、ユーザ装置１００との通信に用いる無線リソースを管理する。上述したように、スモール基地局３００は、マクロ基地局２００のために無線リソースを予め確保し、確保した無線リソースを示すプーリング情報を送信する。リソース管理部２２０は、受信したプーリング情報をプーリング情報格納部２２１に格納し、ユーザ装置１００にスモールセルの無線リソースの割当てが必要になると、スモール基地局３００との間で無線リソースの割当処理を実行することなく、プーリング情報に示される無線リソースの一部又は全てをユーザ装置１００に自律的に割り当てる。
【００４７】
例えば、ユーザ装置１００がスモールセルのアップリンク個別リソースの割当てをマクロ基地局２００に要求した場合、リソース管理部２２０は、格納されているプーリング情報に示される当該スモールセルの無線リソースから未割当ての無線リソースを要求されたアップリンク個別リソースとしてユーザ装置１００に割当て、割り当てたアップリンク個別リソースをユーザ装置１００に通知する。当該通知を受信すると、ユーザ装置１００は、割り当てられたアップリンク個別リソースを用いて、スモール基地局３００にアップリンク個別リソースを送信することが可能になる。
【００４８】
一実施例では、送受信部２１０を介しユーザ装置１００からアップリンク個別リソースの割当要求を受信すると、リソース管理部２２０は、要求されたアップリンク個別リソースがマクロ基地局２００とスモール基地局３００との何れのセルに属するか判定し、判定結果に応じて、プーリング情報に示されるスモールセルの無線リソース又はマクロ基地局２００の無線リソースを要求されたアップリンク個別リソースとしてユーザ装置１００に割り当てる。すなわち、ユーザ装置１００が、スモールセルのアップリンク個別リソースの割当てを要求している場合、リソース管理部２２０は、プーリング情報に示される無線リソースから要求されているアップリンク個別リソースをユーザ装置１００に割当てる。他方、ユーザ装置１００が、マクロセルのアップリンク個別リソースの割当てを要求している場合、リソース管理部２２０は、自局の未割当て無線リソースから要求されているアップリンク個別リソースをユーザ装置１００に割当てる。これにより、ユーザ装置１００は、迅速にマクロ基地局２００又はスモール基地局３００とアップリンク個別リソースを通信することが可能になる。
【００４９】
なお、無線リソース及びアップリンク個別リソースの自律的割当ては、ユーザ装置１００に対してスモールセルを最初に設定する際に行われてもよいし、あるいは、当該設定後に所定の解放契機が発生したことに応答して無線リソース又はアップリンク個別リソースが解放された後、再割当てをする際に行われてもよい。
【００５０】
また、リソース管理部２２０は、確保された無線リソースが不足すると、無線リソースを追加的に確保するための追加確保要求をスモール基地局３００に送信してもよい。例えば、確保された無線リソースのうち未割当ての無線リソースが所定の閾値パーセント以下になると、リソース管理部２２０は、スモール基地局３００に追加確保要求を送信してもよい。これにより、スモールセルにおいてマクロ基地局２００のために確保されている無線リソースの枯渇を予め回避することが可能になる。
【００５１】
次に、図７を参照して、本発明の一実施例によるマクロ基地局におけるアップリンク個別リソース管理処理を説明する。図７は、本発明の一実施例によるスモール基地局におけるアップリンク個別リソース管理処理を示すフロー図である。当該処理は、例えば、スモール基地局３００からプーリング情報を予め受信したことに応答して開始される。
【００５２】
図７に示されるように、ステップＳ１０１において、マクロ基地局２００は、ユーザ装置１００からアップリンク個別リソースを再割当てするための割当要求を受信する。
【００５３】
ステップＳ１０２において、マクロ基地局２００は、要求されたアップリンク個別リソースがスモールセルに属するものであるか、又はマクロセルに属するものであるか判定する。
【００５４】
当該アップリンク個別リソースがスモールセルに属するものである場合（Ｓ１０２：Ｙ）、ステップＳ１０３において、マクロ基地局２００は、プーリング情報に示される当該マクロ基地局２００のために確保されているスモールセルの無線リソースの一部又は全てを抽出し、抽出した無線リソースをユーザ装置１００に割り当てる。割り当てられたスモールセルの無線リソースが通知されると、ユーザ装置１００は、当該無線リソースを用いてスモール基地局３００とアップリンク個別リソースを通信する。
【００５５】
他方、当該アップリンク個別リソースがマクロセルに属するものである場合（Ｓ１０２：Ｎ）、ステップＳ１０４において、マクロ基地局２００は、自局の未割当ての無線リソースを用いてユーザ装置１００とアップリンク個別リソースを通信する。
【００５６】
このようにして、マクロ基地局２００は、プーリング情報を用いてユーザ装置１００にアップリンク個別リソースを自律的に割り当てることが可能である。
【００５７】
以上、本発明の実施例について詳述したが、本発明は上述した特定の実施形態に限定されるものではなく、特許請求の範囲に記載された本発明の要旨の範囲内において、種々の変形・変更が可能である。
【符号の説明】
【００５８】
１０  無線通信システム
１００  ユーザ装置
２００  マクロ基地局
２１０  送受信部
２２０  リソース管理部
２２１  プーリング情報格納部
３００  スモール基地局
３１０  送受信部
３２０  リソース管理部
【図１】
2014158239.tif 000003
【図２】
2014158239.tif 000004
【図３】
2014158239.tif 000005
【図４】
2014158239.tif 000006
【図５】
2014158239.tif 000007
【図６】
2014158239.tif 000008
【図７】
2014158239.tif 000009